(57)【要約】【課題】  体温測定の際、測定終了を確実に把握できたり、あるいは正しく測定が出来ているかどうかを手元で判断できる電子体温計を提供する。またその電子体温計は防水性や耐久性などの信頼性も高く、さらには取り扱いも容易なものとする。【解決手段】  外観が概略棒状の電子体温計であって、そのケースには測定回路と表示素子と電源とコードリールを有し、ケースに付属するセンサ保持部には温度センサを有し、温度センサとセンサ保持部は互いに抜き差し自由な嵌合構造であり、温度センサに結合しているコードは２本の導線を一体化してコードリールに巻き取り可能になっている。そして温度センサはセンサ保持部から分離でき、コードリールの回転によりコードが伸縮自在になっている。【選択図】図１
2006300866.tif 000002
【特許請求の範囲】
【請求項１】
ケースには測定回路と表示素子と電源とコードリールとを有し、前記ケースに付属するセンサ保持部には温度センサを有し、該温度センサと前記センサ保持部とは互いに抜き差しできる嵌合構造を有し、前記温度センサに結合しているコードは２本の導線を一体化して前記コードリールに巻き取り可能になっている電子体温計。
【請求項２】
前記温度センサは前記センサ保持部から分離でき、前記コードリールの回転により前記コードが伸縮自在であることを特徴とする請求項１に記載の電子体温計。
【請求項３】
前記ケースの一部分は棒状をしており、その先端に前記センサ保持部を有することを特徴とする請求項１または請求項２に記載の電子体温計。
【請求項４】
前記測定回路と前記表示素子と前記電源とを含む部分と前記温度センサとの間には防水部材を有することを特徴とする請求項１から請求項３のいずれか一項に記載の電子体温計。
【請求項５】
前記ケースには固定部材を有することを特徴とする請求項１から請求項４のいずれか一項に記載の電子体温計。
【請求項６】
前記コードを引き出す動作により電源スイッチがＯＮになることを特徴とする請求項１から請求項５のいずれか一項に記載の電子体温計。
【請求項７】
前記コードを巻き戻す動作により電源スイッチがＯＦＦになることを特徴とする請求項１から請求項６のいずれか一項に記載の電子体温計。
【発明の詳細な説明】
【技術分野】
【０００１】
腋の下あるいは口腔内等で測定する体温計に関し、とくに確実な測定が実施できるための体温計構造に関する。
【背景技術】
【０００２】
体温計は古くは水銀体温計の時代から概略棒状の形体を有し、その先端を腋の下あるいは舌下に挟み、所定の時間を経て先端部の温度を体温とほぼ一致させることで、測定を行ってきた。この行為は一般的に定着され、サーミスタ温度計を用いた電子体温計にその方式が変化しても、体温計の形態としてはあまり変化していない。
【０００３】
しかし、測定が直接目で見えるところで行っていないため、測定が終了しているかどうかの確認が出来ないことが問題であった。そこで電子体温計では測定終了を知らせるために電子音源を搭載するようになったが、特に腋の下での測定では厚い衣服などで覆われてしまうときや、雑音が多い環境ではしばしば終了音を聞き逃してしまうことがある。
【０００４】
さらに先端部が正しく腋の下に装着されていないときなどは、体温が高いにもかかわらず温度上昇が遅いことなどがあり、しばし時間を待ったにもかかわらず、再度測定を繰り返さなければならないといった煩わしさがあった。同様のことは、電源の入れ忘れなどでも起こってくる。
【０００５】
そこで手元において体温測定状況を確認できる構造が必要と思われ、それを解決する方法が提案されている（たとえば特許文献１）。ここで従来の電子体温計の構造を図５に示した。この例では、温度検出部８１と温度表示部８２とを分離しコード４０を巻き取れる構造にしている。これによって確かに測定体温が手元にて見られることからこれまでの煩わしさを解消することが可能である。
【特許文献１】特開２００４−２０５０９号公報（図１）
【発明の開示】
【発明が解決しようとする課題】
【０００６】
この様に従来の方法ではコード４０を伸ばせることから、体温を手元で確認できることで便利である。しかし文献１に示されている体温計の構造では、腕を中に通して測定することを目的としてループ状のコード４０が備えられている。これではせっかく測定部分が小さいのにそこに付けられた２本のコード４０が開いてしまうことから、普通に腋の下へ装着するにはコード４０が邪魔になってかえってやりにくい。
【０００７】
また、２本のコードを別の場所から本体８３へ収納する構造のため、当然ながらコード４０の一部分は本体８３内に収納されず、温度検出部８１がふらついた状態になるため、コード４０の切断や測定センサ部の破損などの問題が懸念される。さらにコード４０の収納部分は穴が開いているため防水性がなく、そこから水分が進入することで腐食などの問題が生じやすい。
【０００８】
また、本体８３は手に持って測定することが基本であるため、反対に測定中に他の作業をしようとしても本体８３が邪魔になり不便になることが考えられる。
【０００９】
そこで本発明の目的は、センサ部と本体を分離して手元で温度を監視できる体温計でありながら、測定がしやすく、信頼性が高く、さらにはいくつかの測定形態を実現できる電子体温計を提供することにある。
【課題を解決するための手段】
【００１０】
上記の目的を達成するために本発明の電子体温計においては下記に記載する手段を採用する。
【００１１】
ケースには測定回路と表示素子と電源とコードリールを有し、ケースに付属するセンサ保持部には温度センサを有し、温度センサとセンサ保持部は互いに抜き差し自由な嵌合構造であり、温度センサに結合しているコードは２本の導線を一体化してコードリールに巻き取り可能にする。
【００１２】
そして温度センサはセンサ保持部から分離でき、コードリールの回転によりコードが伸縮自在であり、ケースの一部分は棒状をしており、その先端にセンサ保持部を有し、測定回路と表示素子と電源とを含む部分と温度センサとの間には防水部材を有することが望ましい。
【００１３】
さらにはケースには衣服などに固定できる、固定部材を有し、コードを引き出す動作により電源スイッチがＯＮになり、コードを巻き戻す動作により電源スイッチがＯＦＦになることが望ましい。
【発明の効果】
【００１４】
本発明の電子体温計は温度センサがセンサ保持部から分かれ、接続されているコードが伸縮自在の構造になっているため、センサを腋の下に挟んでも測定経過を手元にて観察できるため、非常に便利でありまた測定ミスを防ぐことが出来る。さらに温度センサが保持部より離れるため、従来のように体温計本体が腋の下にさわることがなく、熱容量が小さいことから早く一定温度に達して測定が簡単になる。
【００１５】
また、温度センサとセンサ保持部は嵌合構造になっていることから、コードを伸ばさなくとも従来の体温計と同じように測定も可能であるとともに、収納時にセンサがふらつくこともなく信頼性が高い。そしてコードは２本の導線が一体化しているので、測定時も取り扱いがしやすく、完全にケース内に収納できることから断線などの問題がなくなる。
【００１６】
さらに、温度センサとセンサ保持部の嵌合によって収納時ではケース内部への、特に水分などの異物の侵入を抑えることが出来るとともに、測定回路と表示素子と電源を保護するように防水部材を有していることで、たとえコードを伸ばした状態での使用においても水分の侵入を妨げ、ショートや漏電などの問題が回避される。
【００１７】
また、ケースには固定部材があることから、常時手で持つ必要がなく、衣服などに本体を留めて体温測定のまま他の作業をすることも可能である。
【００１８】
さらにまた、コードの引き出し、収納に従って電源スイッチのＯＮ・ＯＦＦをなす事によって、電源の入れ忘れや、切り忘れなどを防止することもできる。
【発明を実施するための最良の形態】
【００１９】
以下、図面を用いて本発明の電子体温計の最適な実施形態を説明する。まず図１には本発明の電子体温計の斜視図を、図２には電子体温計の内部平面図を示している。
【００２０】
本発明の電子体温計の外観は図１のように通常の電子体温計とほとんど変わりはない。長細い形状をしたケース１０の中には図２にあるように測定回路３１と電源３２とを収納しており、外部から見える位置に体温の表示素子３０を備えている。ケース１０につながる形で備えられている温度センサ２０にはサーミスタ温度計が埋め込まれており、サーミ
スタの抵抗を測定するためのコード４０がつながれている。コード４０は測定回路に接続され、温度センサ２０の抵抗値を検出および変換し表示素子３０に体温として表示する。
【００２１】
温度センサ２０に接続されているコード４０はセンサ保持部１２から測定回路３１までの距離よりもかなり長く作られており、大部分はケース１０内部に納められているコードリール５０に巻き取られている。そして温度センサ２０を引き出すとコード４０は伸び、温度センサ２０とケース１０とはコード４０でつながったまま分離できる。
【００２２】
コードリール５０は簡単な構造としてはケース１０外部に手回しのハンドルを付けて操作をする。しかし、さらに利便性を良くした構造としては、コードリール５０の内部にバネ材あるいはゴムなどの弾性部材を備え、自動で巻き取りが出来るようにする。この場合、使用者がコード４０を伸ばしたときにはコードリール５０が回転し、内部の弾性部材が巻かれて力が加わる。コードリール５０にはストッパーが備えられており、それによってコード４０は任意の長さで止まる。ストッパーを人的に解除すると、巻かれていた弾性部材が元に戻ることで、コードリール５０は自動的に回転しコード４０を巻き取ることが出来る。
【００２３】
また、コードリール５０のストッパーは電源スイッチと連動している。そのため、コード４０を伸ばし、コードリール５０が回転することによりストッパーが動き電源をＯＮすることが出来る。また、外部操作でストッパーを解除することで電源はＯＦＦする様になっている。
【００２４】
図３には温度センサ２０とセンサ保持部１２の拡大図を示した。温度センサ２０とセンサ保持部１２とは互いに嵌合する構造になっている。つまり図３の（Ａ）では、温度センサ２０の一部分がセンサ保持部１２に挿入され、（Ｂ）では温度センサ２０にセンサ保持部１２が挿入される構造になっており、これらのどちらかを利用している。この様な嵌合構造をとることで、温度センサ２０を引き出していない状態では温度センサ２０はセンサ保持部１２に固定され、非常に安定した構造になる。また、コード４０も完全にケース１０内部に納められるので、断線などの危険が減少する。
【００２５】
温度センサ２０とセンサ保持部１２の嵌合する隙間にはパッキンなどを入れることで、さらに防水性が向上するが、温度センサ２０を引き出した場合に備えて、図２に見られるように温度センサ２０と測定回路３１の間には樹脂を利用した防水部材６０が備えられている。これによって、たとえセンサ保持部１２より水分が侵入しても電気的な部分は保護されることから、水分による故障などの問題がなくなる。ここでは防水部材６０はコードリール５０と測定回路３１の間に入っているが、コードリール５０よりも温度センサ２０側に装着することも可能である。その場合、コード４０が防水部材６０内を動くことから、防水部材６０はシリコーンなどの柔軟性のあるものにした方が良い。
【００２６】
本発明の電子体温計の使用形態について説明する。まず使用者は電子体温計の温度センサ２０部分をつまみ、ケース１０から引き出す。そして温度センサ２０を腋の下に挟み込む。この時、コード４０はケース１０が衣服より外に出るくらいの長さには伸ばしておく。前述したようにコード４０を伸ばしたときコードリール５０が回転し電源スイッチはすでにＯＮされた状態になっている。
【００２７】
ここで図４の電子体温計の側面図に示すようにケース１０には固定部材７０が備えられている。この固定部材７０はバネ性を有したクリップ状のもので、衣服の襟やその他の部分に固定することが出来る。そこで使用者は衣服に電子体温計を固定した状態で、温度センサ２０が体温に達するまで待つことが出来る。固定部材７０はクリップ状のもののほかに、ピンを利用したもの、あるいはマジックテープ（登録商標）などを利用したものも利用出来る。
【００２８】
この時、使用者は温度センサ２０の温度の上昇状況を直接表示素子３０を見ることで確認できる。あるいは測定対象が幼児などの場合は保護者が確認することが出来る。測定が終了すると備え付けのブザーの知らせにより、体温測定を終了する。その場合、たとえブザーを聞き逃したとしても、目視で確認していることから余分な時間を過ごす必要はない。
【００２９】
また測定中にたとえば温度が異常に低くあまり上昇していかないことが確認できれば、温度センサ２０が正しく装着できていないことが想定されるので、再度センサ位置を修正すればよい。あるいは使用している電池が劣化し十分な電圧が得られないときなど、体温測定にはエラーが生じるが、目視していることで無駄な時間を過ごさず、すぐさま対応することが出来る。
【００３０】
本発明の電子体温計はまた、従来の電子体温計と同じように使用することも可能である。使用者がコード４０を伸ばすことが面倒な場合は、温度センサ２０をセンサ保持部１２に固定したまま腋の下に挟めばよい。この様に本発明の電子体温計は使用者の好みで２通りの使い方が可能である。
【図面の簡単な説明】
【００３１】
【図１】本発明の実施の形態における電子体温計の外観を示す斜視図である。
【図２】本発明の実施の形態における電子体温計の内部構造を示す平面図である。
【図３】本発明の実施の形態における電子体温計の温度センサ近傍の構造を示す断面図である。
【図４】本発明の実施の形態における電子体温計の構造を示す側面図である。
【図５】従来の電子体温計の外観を示す斜視図である。
【符号の説明】
【００３２】
１０  ケース
１２  センサ保持部
２０  温度センサ
３０  表示素子
３１  測定回路
３２  電源
４０  コード
５０  コードリール
６０  防水部材
７０  固定部材
【図１】
2006300866.tif 000003
【図２】
2006300866.tif 000004
【図３】
2006300866.tif 000005
【図４】
2006300866.tif 000006
【図５】
2006300866.tif 000007